(57)【要約】      （修正有）【課題】昼光照明システムの適用可能な応用範囲を拡張する。【解決手段】光学部品１１は、二つの透明で平坦な本体１２、１３を具備し、各本体がその面１５の一つに溝１６か他の面相を有していて、両本体１２、１３を対向配置したときに相互噛合する。溝１６の形状或いは他の面相は、それらが或る場所２０、２２、２３において触れ、他の場所１８、１９で互いに離隔させられていて、形成された光学部品１１内に空隙を形成する。これらの空隙は、特定角度の入射光の全反射を決定する手助けとなる。面と面を突き合わせた２つの光学部品から形成した複合本体は、建造物の内部といった対象へ光を導いたり、対象から光を偏向させることで遮光することの両方を行う昼光照明スクリーンとして用いる。【選択図】図１
2011060714.tif 000002
【特許請求の範囲】
【請求項１】
それぞれ二つの主面を有する二つの光学的透明本体を備え、一方の主面が凹部隔壁により分離された複数の凹部により途絶されていて、本体には、所定の閾値角度を超えて対応する光学的透明本体を透過した入射光が全反射により反射され、この閾値角度以下は透過屈折される表面を備え、各光学的透明本体の凹部間の凹部隔壁が他方の本体の凹部に噛合していて、各凹部及び凹部隔壁の対向する面の間に少なくとも一つの空隙を画成しており、凹部及び凹部隔壁は主面に傾斜した表面を備え、二つの本体の相対位置が、二つの光学的透明本体が互いに完全に貫通し合う場合の各凹部及び凹部隔壁の協働する面の間の締め付けによって決定される形状である光学部品。
【請求項２】
各光学的透明本体の凹部間の凹部隔壁が他方の本体の凹部に噛合していて、各凹部及び凹部隔壁の対向する面の間に少なくとも二つの空隙を画成しているのを特徴とする請求項１の光学部品。
【請求項３】
凹部の少なくとも二つの面が互いにほぼ平行であることを特徴とする請求項１又は２の光学部品。
【請求項４】
ある凹部の境界を定める界面が、本体の主面の法線に対して傾斜していること、を特徴とする請求項１の光学部品。
【請求項５】
各凹部の境界を定める界面が、凹部の側壁と底面壁の両方を画成していて、凹部隔壁を定める界面は、前記底面壁の主面に適合する形状及び傾斜を有しており、これにより二つの本体を凹部と凹部隔壁とを相互噛合させて合体させたときに互いに当接すること、を特徴とする請求項１ないし４のいずれかの光学部品。
【請求項６】
凹部の側壁及び/又は底面壁を画成する面が、特定角度で入射する光の入射を低減もしくは排除すること、を特徴とする請求項１ないし５のいずれかの光学部品。
【請求項７】
凹部の側壁及び/又は底面壁の少なくとも或る部分の少なくとも一部が、表面処理されかつ/又は被覆され、これにより制約された入射角度範囲から本体へ向かう光の透過を阻止すること、を特徴とする請求項６の光学部品。
【請求項８】
空隙の一方側で本体以上の屈折率を有し、かつ空隙の他方側で本体以下の屈折率を有する透明もしくは半透明の介挿材料が、さらに空隙に具備されることを特徴とする請求項１ないし７のいずれかの光学部品。
【請求項９】
反射を引き起こす界面を画成する本体におけるこれらの表面の傾斜角度が、本体の主面への法線に対して７度を超えない角度であること、を特徴とする請求項１ないし８のいずれかの光学部品。
【請求項１０】
パネル形状をなし、窓又は建造物等の開口外部に被せたパネルを支持する手段を有し、その平面は垂直に対して傾斜していて、開口を通過する方向に下方へ到来した光を開口内へ偏向させること、を特徴とする請求項１ないし９のいずれかの光学組立体。
【請求項１１】
建造物の窓あるいは同様の開口内の窓パネルの形をなし、建造物の室内に前記光学部品により偏向させられた光路内に配置され、その上への入射光を偏向させるよう動作する光偏向部品をさらに備えること、を特徴とする請求項１ないし９のいずれかの光学組立体。
【請求項１２】
前記さらなる光偏向部品が平面又は局面反射体であること、を特徴とする請求項１１の光学組立体。
【請求項１３】
請求項１ないし９いずれか１項の光学部品又は請求項１０ないし１２のいずれか１項の光学組立体と、さらに人工光光源及び人工光光源を開口の外部に配置しては配向し、開口に向けて光を偏向させ、人工光光源から出射された光が光学部品により所定の方向に偏向されるようにさせる手段を備えることを特徴とする建造物の開口を塞いで照明するのに用いる光学組立体。
【請求項１４】
凹部と凹部隔壁が、組立部品において、少なくとも特定の入射角度範囲に亙る入射光を反射屈折する反射体を、画成するような形状とされているのを特徴とする請求項１ないし９のいずれかの光学部品。
【請求項１５】
少なくとも幾つかの期礎面が、部品領域の少なくとも一部に亙り非透明とされていて、これにより特定角度範囲の反射光の透過を阻止すること、を特徴とする請求項１ないし１４のいずれかに記載の光学部品。
【発明の詳細な説明】
【発明の詳細な説明】
【０００１】
（技術分野）
本発明は、概ね昼光照明及びその他の用途のための光学部品に関する。
【０００２】
明細書中で使用される用語「昼光照明」は、入来する利用可能な光量を様々な手立てにより増やす手段を備えた開口を介して、自然光を建造物や（船舶や航空機のような）他の構造物に取り込む手法を指すことが理解されよう。これは、例えば建造物や他の構造物では有益な光をもたらさないであろう入射角度からの光線を偏向させることにより、或いはそのままでは建造物内に入来しそうもない開口を通り過ぎる光を捕捉することによっても達成される。
【０００３】
（背景技術）
扉や窓といった開口に配設した透明体を介して建造物の昼光照明を改善する試みが数多くなされてきた。初期の段階では、ガラス板の片面上、もしくは両面にまで、プリズム様構造体を複数設けることが、光を屈折させるプリズムの既知の特性を利用した入射光の偏向をもたらすものと理解されていた。そうした光偏向特性の恩恵は、窓やガラス板付きドアへの外部からの入射光が、大入射角度においてより大きな強度を有するという事実（ガラス板付き部エレメントは平面的でほぼ垂直面内にあり、入射角度は法線面すなわち水平面から計測されるものと仮定）に基づくものであり、このことは従前の平面ガラス板付きエレメントにとっては最大角度から入射した最強の光が建造物内部の最も窓際の床の限られた領域を照らすこと、これに対して室内のもっと奥の領域は入射角度のより浅い入射光を受けるものの、さほど強くは照明されないことを意味するものである。一つの壁の一つの窓により照らされた大きな部屋では、背面壁により近く窓からより遠い箇所の昼光照明レベルが、窓に近い箇所の照明よりも小さく、しばしば相当に小さいことは、よく認識されている現象である。
【０００４】
いわゆる昼光照明用光沢エレメントは、入射角度の大きな光をガラス板付きエレメントを通過させる際に屈折させることでこの状況を改善しようと努めてきており、これにより水平を越える入射角度で到来する少なくとも幾つかの光の出射角度がそれ自体水平以上となるようにし、この光が床に向けて下方に案内される代わりに部屋の背後に向けて上方に導かれるようにしている。
【０００５】
しかしながら、昼光照明用にガラス張りする従前の試みは、ガラス張りエレメントの光偏向光学特性が異なる方向範囲に光を散乱させる結果を招くため、部屋の中の人は広範囲の異なる方向からの光が目に入るため、このエレメントを介しては何も見えないという欠点を有していた。この理由から、昼光照明の原理は望ましいものでありながら、従来技術のシステムは事実上外界から部屋を遮断してしまうものであり、このことが室内の人から見て相当の欠点であり、たとえスペクトル範囲と色温度の点で望ましい昼光特性を有していようとも、昼光を人工光とほとんど同等という程度へと貶めていた。
【０００６】
この問題に鑑み、従来のガラス張りの垂直配向、すなわちほぼ垂直面内に存在するパネルとともに用いたときに、水平に対して大きな角度の入射光は偏向させ、水平線に近い浅い角度（上側と下側の両方）の入射光は殆ど偏向させずに通過させることのできるエレメントのプロフィルが数多く開発されてきており、これにより室内の人はガラス張りエレメントを介して外部への視界を得ることができ、その一方で大空の高所から到来する高強度の光が部屋の内奥まで偏向され、照明レベルが改善されるようになっている。
【０００７】
本出願人自身が以前になした国際特許出願ＰＣＴ／ＧＢ９４／００９４９及びＰＣＴ／ＧＢ９７／００５１７には、この所望の効果を得るため、複合構造を構成する個別のエレメント及び部品の両方を用いた異なる様々な概要が記述されている。用いた概要の一つは、帰するところ、使用時に溝とともに水平に配向されるエレメントの一面における所定形状の溝の平行列からなるものである。溝の大きさは、人の目の平均的な瞳孔の直径を越えることはないが、回折効果が支配するほど小さくはなく、これにより目が光学効果を効果的に集積し、甚だしい歪みや妨害もなくエレメントを介して像を見ることができるようになっている。
【０００８】
無論、本発明の光学部品の他の応用が排除されるものではないが、昼光照明目的に関する本発明の説明は、本発明の普遍性に対する偏見無しに理解さるべきである。特に、本発明の光学部品は、発生させた光を偏向させたいと望む箇所で光源用カバーとして用いたり、或いは伝送映像用のスクリーン（像を写すもの及び障壁として作用するものの両方）の照明及び／又は広告標識や店舗の窓等の照明などに光学部品が用いられる他のいかなる用途にも利用することができる。
【０００９】
屈折及び／又は反射を用いて光を偏向させるときに常に発生する一つの問題は、偏向光が像処理目的に使用される場合に特に重要になる色の分散である。一般的に昼光照明に伴って生ずる他の問題は、例えば太陽のすぐ周囲の領域から発生する映り込みの可能性であり、太陽は通常は視界の法線から外れているが、入射光の偏向が原因で、建造物内の人物の視野上に害を及ぼす明白な方向を有するものである。日々の明るさの変化は、平均的な条件に対しては良好に働く昼光照明システムが、薄暗い曇天状態や快晴状態の過度で不快な明るさにあっては不適切であることもまた意味するものである。
【００１０】
本発明は、昼光照明システムのこれらの欠点が少なくとも多少は緩和される手段を提供し、かつ昼光照明システムの性能を改善して適用可能な応用範囲を拡張する昼光照明エレメント及び部品の構成を提供することを目指すものである。本発明はまた、建造物の内部照明を増強するため光学部品をどのように適用するかに関するさらなるアイデアと概念とをもたらすことを目指すものである。
【００１１】
従って、本発明の一つの目的は、それぞれ二つの主面を有する二つの光学的に透明な本体で、一方の主面が該主面を複数の第１の基礎面に区画する複数の凹部により途絶されていて、凹部間には、所定の閾値角度を越えて対応する光学的透明本体を透過した入射光が全反射により反射され、この閾値角度以下は透過屈折される第２の基礎面により画成された凹部隔壁が存在し、二つの本体の凹部の形状は相補的であって、一方の光学的透明本体の凹部間の凹部隔壁と他方の光学的透明本体の凹部とが互いに相互噛合していて、各凹部ごとに、対向する基礎面間に全反射を引き起こす少なくとも二つの空隙を画成する前記本体を備えるものである。
【００１２】
本発明の実施例では、噛合する本体は、対向し合うほぼ平面パネルの形状をなしており、これらの本体を自立に足る十分な堅牢のものとするか、或いはまた在来の窓ガラスの平面ガラスのような他の透明支持体に担持される薄膜で形成してもよい。
【００１３】
二つの噛合する本体を含む従前の光学部品は、噛合する凹部と凹部隔壁の各対により画成される一つの空隙しか存在しない形状とされてきた。かくして、本発明は、所与の凹部構造に対し従来技術の２倍の潜在的反射箇所を提供するものである。
【００１４】
本発明はまた、上記に規定された光学部品であって、凹部が基礎面によって画成され、かつ凹部を画成する少なくとも二つの基礎面が互いにほぼ平行であり、凹部隔壁を跨ぐそうした平行な基礎面間の距離が凹部１個の対応距離に満たず、これにより凹部隔壁と凹部との噛合ならびに凹部ごとの前記二つの空隙の形成を可能にする光学部品を包含するものである。
【００１５】
所与の凹部を画成する基礎面は、部品の主面への法線に対して傾斜するか、或いは法線に対し平行である。前者の場合、傾斜は交互に反対方向を向いていて各凹部が本体の内側に向かって若干傾斜（すなわち、凹部がやや末広がりの形をなす）しており、光学的透明本体が鋳造により製造される場合、そのことが鋳型からの抜きと、さらに部品を形成するための二つの本体の組立時の相互噛合を助けるものである。
【００１６】
本発明の好適な実施例では、各凹部の境界を定める基礎面が凹部の側壁と底面壁の両方を画成しており、この場合に光学的透明本体の前記少なくとも一つの主面が凹部によって第１の基礎面へと分離され、この第１の基礎面が前記底面壁のそれに適合する形状ならびに傾斜を有していて、これにより二つの本体を凹部と凹部隔壁を噛合させた状態で組み合わせたときに前記底面壁が基礎面に対して近接嵌合する。
【００１７】
二つの本体の輪郭形状すなわち凹部と凹部隔壁の断面形状は同一でよい。この場合、本体は単一の鋳型を用いて形成でき、凹部と凹部隔壁とを相互噛合させるため互いに単純に反転させるだけでよい。
【００１８】
凹部は、表面エレメント（平面的な表面エレメントが好ましいが、必ずしもこれに限定されない）が適当な正多角形又は単純多角形の外形を規定するものであれば、いかなる形状であってもよい。例えば、凹部隔壁が対応形状であれば、凹部は平面形状において三角形、四角形、五角形でもよい。しかしながら、好ましい実施例では、凹部は細長い溝の形をしていて、凹部隔壁が細長いリブの形をしている。凹部の側壁及び／又は底面壁を画成する基礎面は、特定角度で入射する入射光線を低減或いは除去するような形状にしてある。このことは、例えば凹部の側壁及び／又は底面壁の形状によって達成される。この形状は、例えば二つの本体を噛合させたときに壁の間に形成された空隙が断面内の一点（細長い溝の場合は、三次元の線となる）に向かって傾斜するものであり、そのことで側壁により画成された界面において反射されない特定角度の入射光線が透過して不要方向の光線を形成することが抑制されかつ防止される。
【００１９】
好ましくは、凹部の側壁及び／又は底面壁の少なくとも幾つかの少なくともある部分が、表面処理されかつ／又は被覆されるかしていて、これにより入射角度の制約範囲からの部品を通る光線透過を阻止することが好ましい。
【００２０】
本発明の実施例は、本体どうしを噛合させたときに、凹部の側壁及び／又は底面壁を画成する表面エレメントの少なくとも幾つかが互いに当接し合うように形成するのがよい。そうした場合、かく画成された界面の入射側の本体の屈折率以上で、かく画成された界面の出射側の本体の屈折率を越えない屈折率をもった透明もしくは半透明の介在材料をさらに設けるとよい。このことは、無論、二つの本体が互いに異なる屈折率をもつことを意味するが、両本体が同じ屈折率を有しかつ介在材料が本体と同じ屈折率を有する場合を排除するものではない。
【００２１】
透明もしくは半透明の介在材料は、接着剤であるのが好都合である。こうした構成は、接地入射或いはそれに近い入射でもって界面に接する光、これらはここに規定した種の光学部品の傾斜界面で生ずるが、この光が反射されないよう保証するものである。
【００２２】
界面及び介在材料の指向角度と特に材料の屈折率とを選択することで、界面を介する屈折から界面上での反射への移行を招く部品の主面に対し、光入射角度の設計段階で行使される制御を可能にするものである。この設計選択は、設計者をして仰角の特定範囲内からの不要光の透過を阻止させ、一方で他の角度からの光の透過を許容させる。これは、典型的には、例えば太陽の平均的な位置を中心とする仰角の小さな範囲だけで動作する太陽光遮光機能として開発されよう。こうして、本発明の全ての実施例における重要なファクタである部品を介する視界は、太陽の仰角又はそれに近いものにおいて抑制され、一方でエレメントを介する通常の視野は他の全ての方向に可能とされる。このことは、勿論、室内照明や特に従来のブラインドのような代替遮光手段によってもたらされるであろう改善の妨げとならずに、達成できるものである。
【００２３】
かくして、本発明は、少なくとも一つが凹部隔壁が間に存する複数の凹部により途絶した主面を有する光学的透明本体で、特定の入射角度もしくは特定の入射角度範囲の光の透過を阻止する日除けもしくは目隠しとして形成されるタイプの光学部品を包含するものである。このことは、界面の方位角度と界面を画成する表面間の介在材料の屈折率との選択肢を組み合わせ、かくして界面を介する屈折から界面からの反射への移行を引き起こす入射角度を決定することにより達成される。
【００２４】
本発明の光学部品の色分散を制御するため、一定の制限角度範囲内の界面が備わっている。特に、反射を引き起こす界面を画成する本体のこれらの表面エレメントの傾斜角度は、本体の主面に対する法線に対して７度を越えない角度であることが好ましい。事実、そうした界面の角度が５度以下に制限されることがより好ましい。本発明の実施例はまた、表面エレメントが反射鏡としての部品の使用を可能にするような構成でもって提供することもできる。
【００２５】
上記の議論は、部品を組み上げている二つの本体を形成する光学エレメントの主表面が、開口の平面と平行であるとの仮定に基づくものである。開口全体に亙って広がってはいない部品を組み込むことにより、以下に述べるように、他の実施例が可能である。そうした構成の一つでは、上記定義済みの光学部品を含む光学組立体で、透明本体が自立できる程度に十分堅牢であるか又は透明支持体或いは半透明支持体に担持されるか又は透明支持体或いは半透明支持体である組立体が、本体及び／又は支持体が細長く互いにほぼ平行な列をなして保持されるよう形成されている。一実施例では、そうした列は、小割板が水平又は垂直に横たわるベネチア式ブラインドの列に類似の形状を有する。
【００２６】
透明本体内の凹部が細長い溝である場合、これらは小割板の長手に対し平行か又は垂直のどちらかに横たわるか、或いは長手に対して傾斜している。同様に、小割板自体が、（太陽の運行路に対しできる限り近付けて横たわるよう）水平に対して傾斜していて、小割板の長手に平行な軸に対して傾斜調整できるようになっている。そうした調整は手動で行うか、或いは入射光の主要部分の入射方向を表す光センサからの信号に応じて長手軸に関する小割板の傾斜を自動的に調整する手段を備えてもよい。
【００２７】
本発明はまた、建造物等の開口の外側に、一端部に平行な枢支軸の周りに列全体が回転できるよう枢着或いは枢着可能な実質的に平面的な列の形をなす細長い本体及び／又は支持体の列を包含するものである。上述したような構成、すなわち本体や支持体がベネチア式ブラインドの小割体の形をしている構成では、これらは自らの個々の長軸周りに個別に回動できても或いはできなくともよい。
【００２８】
細長い本体及び／又は支持体の列は、一端周りに回動不能の状態で建造物等の開口の外部に装着或いは装着できるが、開口面に対して列面を傾斜させ、これにより開口を透過して下方へ向かう光を遮断する状態では、光学部品の反射界面は、開口を介して下方へ向かうこの光を偏向させるよう配向される。
【００２９】
本発明はまた、少なくとも一つの光学部品から成る光学組立体を含むものであり、その光学部品は、それぞれ二つの主面を有する二つの光学的透明本体からなす、少なくとも一方の主面が間に凹部隔壁を挟む複数の凹部により途絶され、二つの本体は、それらの前記一方の主面を互いに接触させ、かつ凹部と凹部隔壁とを互いに噛合させて複数の閉じた空隙を形成するよう、建造物等の窓又はその他の開口の外側にパネル支持手段を有するパネルの形状をなし、パネル面を垂直に対して傾斜させて配置されており、これにより開口を通過して下方に向かう光を開口から偏向させるようになっている。こうしたパネルは、その傾斜が調整できるよう装着される。
【００３０】
本発明はまた、ここで定義した少なくとも一つの光学部品を備える光学組立体を包含するものであり、それは建造物内部の別の光偏向部品と一緒に建造物の窓や同様の開口に嵌めるか覆うかされるガラスパネルの形状をなし、前記光学部品により偏向させられた光の光路内に配置されて入射光を偏向させるよう働く。
【００３１】
前記の光偏向部品は、湾曲反射体或いは平板反射体でよい。前者の場合、湾曲形状は筒状或いは球状でもよい。
【００３２】
本発明の昼光照明システムでは、追加の人工光光源ならびに光源を建造物の開口の外部に配置して光を開口に向けて導くよう配向する手段を設けてもよい。この種の組立体では、人工光光源から投射された光が光学部品によって所定方向或いは所定範囲の方向に偏向されるように設計される。本発明はまた、それぞれ二つの主面を有する二つの光学的に透明な本体を含むタイプの光学部品を包含するものであり、一方の主面が凹部隔壁により分離された複数の凹部により途絶されていて、二つの本体の互いに噛合する凹部と凹部隔壁とが、間に空隙をもって互いに対面する関係に配置されていて、凹部と凹部隔壁が組み上がった部品内に少なくとも特定範囲の入射角度の入射光について実質的に反射屈折反射体を画成するような形状とされている。
【００３３】
一実施例では、各本体の前記一つの主面が傾斜した平面により画成された細長い溝によって途絶されている。そうした実施例では、溝を画成する二つの傾斜平面は互いにほぼ９０度傾斜することが好ましい。
【００３４】
上述の反射屈折反射体を有する一組の光学部品を具備する光学組立体は、長手に対して平行な軸に対する傾斜が調整可能な細長いストリップもしくは小割板としての部品をもって構成するとよい。
【００３５】
本発明に従って形成される光学部品により実現できる他の機能は、一定範囲の方向に及ぶ入射光の透過方向を制限する機能にある。このことは、例えば光学部品が光源を覆うスクリーンであったり、或いは例えば特定方向の不要光の透過を阻止する計器パネル等である場合に、意義深いものとなる。通常、計器パネルを覆うスクリーンは、法線両側の狭い角度帯への光の透過を制限し、これにより計器の真正面に居るユーザだけが計器を読み、透過角度の範囲外にいる計器側方の傍観者は光を受光せず、従って何らの像も見ることができないようにできる。透過光に対する制約はまた、当然のことながら反射光にも適用され、これにより本発明の実施例は不要反射（特に夜間の）を低減し、或いは映り込みを低減したりディスプレイのコントラストを改善するのに用いられる。このことは、自動車や航空機の計器パネルといった計器パネルを、光源に近い箇所からの反射に妨げられずにユーザが視認したいと思う箇所での広範な応用に価値あるものとなる。
【００３６】
従って、本発明の他の側面によれば、それぞれ二つの対向主面を有する二つ以上の光学的透明本体から成るような光学部品であって、一方の主面が複数の凹部隔壁を挟んで基礎面により画成された凹部により途絶されていて、二つの本体は、一方の本体の凹部隔壁が他方の本体の凹部に相互噛合するよう前記一方の主面が面と面を突き合わせて当接する対向関係でもって係合していて、凹部の形状が、二つの本体が完全に係合し合い、それによって非透明材を含む空隙で非透明材料を含む空隙が両者間に形成されるときに、その少なくとも一つの基礎面が他方の本体の凹部隔壁の対応する基礎面に当接しないようになっている光学部品が提供される。
【００３７】
空隙を画成する前記一方の基礎面は、様々な形状と構成が可能である。第１の実施例では、前記第１の基礎面は少なくともそれらの領域の主要部分に亙って平坦であり、光学的透明本体の前記主面に対してほぼ斜交して存在する。そうした実施例では、部品に垂直な入射光はほぼ偏向させらることなく部品を透過するが、これは垂直から所定の閾値角度までの角度範囲の入射光が凹部の間隔とそれらの深さとの間の比率により決定されるからである。より大きな入射角の入射光は、本体材料と凹部内の非透明材料との間の界面において吸収される。
【００３８】
空隙を形成する前記一つの基礎面が法線に対して所定の角度をなし、部品を透過する入射各度の範囲が全体として法線に対して傾斜している場合に、透過の優先方向を設けることができる。これは、例えば観察者の一方の側へ或る距離をもって配置された計器へのカバーパネルとして使用するのに適する。
【００３９】
空隙内の非透明材料の性質は、所望の効果を得るよう選択される。本体よりも低い屈折率を有する材料を選択することにより、かつまた非透明材料として半透明か少なくとも全体が不透明ではないものを用いることにより、前記入射角度範囲内にある入射光が透過する間に他の入射角度の光の幾らかが吸収されるだけでなく、特定角度の入射光の少なくとも幾らかが反射されるようにできる。そうした実施例は、ディスプレイとしてだけでなく室内照明として、或いは或る入射角度での映り込みが問題で、これらの角度の入射光を吸収することでこの問題を克服できる場合の昼光照明目的にも使用できるものである。
【００４０】
本発明のそうした実施例の具体的な構成は、多くの方法によって達成することができる。例えば、二つの本体を合体させる前に片方又は両方の主面に非透明接着剤を被覆することができる。二つの本体に対し十分大きな圧力をかけることにより、互いに直接接触している凹部と凹部隔壁の基礎面間の接着剤が効果的に圧搾されて、これらの面が接着剤の薄膜分も離間しないようになる。接触する基礎面間から搾り出された接着剤は、前記一方の（非接触の）基礎面間の空隙を満たし、最終製品内に入射光を吸収する基礎不透明エレメント列を形成する。
【００４１】
本発明の様々な実施例について、添付図面を参照し、例示によりさらに詳しく記述する。
【００４２】
（発明の実施の形態）
図面、特に図１ないし図３を参照するに、本実施例中では互いに同一構成をなす二つの本体１２、１３からなる光学部品が全体として符号１１で図示してある。本体１２は、図１ではその一部をもって拡大した断面図に示されるが、平坦で途絶のない第１の主面１４と、複数の凹部１６により途絶された破線１５により表される第２の主面とを有する平坦パネルと考えられる。
【００４３】
図面の理解を助けるため、特に材料の肉厚と凹部１６の深さに関しては、相対的サイズが縮尺どおりでなく、実際には図示の部分とは相当異なるであろうことは理解されよう。さらに、材料の全幅すなわち第１及び第２の主面１４、１５の間隔が、たった数ミリメートル程度のオーダーであり、好ましくは１ｍｍに若干満たないものであり、そのピッチ（図２ではＰｐで表される）は、人の目の瞳孔の直径の最大寸法のオーダー（約１ｍｍ）であって、それよりも相当小さくてもよい、すなわち回折効果が支配し始める大きさ（数▲ｍ）にまで落としてもよい。
【００４４】
さらに、本実施形態では、凹部１６は主面１５内を互いに平行に走る細長い溝の形をしているが、他の実施形態（図示せず）では他の形であってもよい。凹部１６を隔てているのは個々の凹部隔壁１７であり、これが本実施形態では、細長いリブにより効果的に構成されている。各凹部１６は、図１に示したように、二つの平行な側壁１８、１９により画成されていて、各凹部の底面は二つの傾斜底面壁２０、２１により画成されており、前者の傾斜底面壁２０が主面１４に対して浅い角度でもって傾斜し、凹部１６の底面の主要部分を占めており、壁２１の方はより急な傾斜（約４５度）であり、以下により詳しく述べる目的用に配設されている。
【００４５】
各凹部１６への入り口は、二つの傾斜進入壁２２、２３により画成されており、両壁の傾斜は同じ大きさで、底面壁２０、２１の方向とは反対方向を向いている。実際、凹部１６に対して末広がりの入り口を画成するものとして記載できる壁２２、２３はまた、端部すなわち隣接する凹部１６間の凹部隔壁１７の先端部を画成している。各凹部１６の主面１５に平行な幅は、凹部隔壁１７を画成しているリブの幅に対応する値よりも若干大きな値としてある。かくして、図２からも判るように、図１に図示した形を有する二つの透明な本体が、主面１５を突き合わせて互いに対向する関係で配置されたときに、それらの個々の凹部隔壁１７が対応する凹部１６内に進入して図２に図示し図３に拡大図示した複合本体１１を形成する。これらの二つの図では、図１に示した基礎面と、透明本体１２及び透明本体１３に付属する基礎面は、該当する下付き文字１２、１３を用いて図１で使用したものと同一参照符号をもって特定してある。
【００４６】
かくして、本体１３の凹部隔壁１７が本体１２の凹部１６内に進入し、それに応じて本体１２の凹部隔壁１７が本体１３の凹部１６内に進入すると、凹部１６の幅に比べ凹部隔壁１７がより幅狭であるため、隣接する一対の側壁１８、１９間に空隙２４が残る。これらの空隙２４は二つの別々の組、すなわち本体１２の側壁１８１２と本体１３の側壁１９１３との間、ならびに本体１２の側壁１９１２と本体１３の側壁１８１３との間である。これらの空隙は、相互噛合する凹部と凹部隔壁とにより画成された空隙の列に沿って交互に生ずる。
【００４７】
各凹部隔壁１７の先端部を画成する傾斜面２２、２３は、凹部１６の対応する傾斜底面壁面２０、２１に適合し嵌合する。傾斜先端面２２、２３間の交差線は、図１に符号２５で示されるが、かくして傾斜底面壁２０、３１間の交差線２６に整合する。このことが、二つの本体を空隙２４が全てほぼ同じ幅をもって所定の整合位置に確実に配置されることを助けるものである。
【００４８】
図２からも判るように、光学部品１１の主面１４１２への入射光線Ｉ１、Ｉ２は主面にて屈折するが、入射光線Ｉ１は傾斜面２０１２、２２１３により画成された界面を横切り偏向せずに通過し、空隙２４を備える側壁面１８１３により画成された界面にて反射される。この光は、本体１３の主面１４１３まで延び、この主面において矢印で表した出口方向へと再び屈折される。光線Ｉ１と同方向ではあるが空隙ピッチＰＦ分だけ偏奇して到来した光線Ｉ２は、主面１４１２にて同角度だけ屈折され、本体１２を通過した後に空隙２４と側壁面１８１２との間の界面に到達する。この地点において、光線Ｉ１と同角度でもって反射され、再び主面１４１３において屈折し、同じ方向に出射する。本実施形態は、平行反射板列を凹部輪郭のピッチＰＦの半分でもって配設できる手段をもたらし、それにより事実上凹部の一面しか反射界面を形成していない構造で達成していたこれまでのものよりも、よりきめ細かな反射ピッチ間隔をもたせることができる。
【００４９】
図４、５、６は、同一もしくは同様の部分を示すのに同一符号を用いた同様の実施例を示すものである。ただし、この実施例では、凹部１６の側壁１８、１９は若干外側に開いている。このことで、本体１２の輪郭は鋳造によって製作でき、側壁１８、１９の傾斜が、鋳造品からの鋳型の抜きを容易にするいわゆる「抜き勾配角」を効果的に形成する。当然のことながら、これによって空隙２４は互いに平行ではなくなるため、二つの異なる平行光Ｉ１、Ｉ２は、図５に示すように二つの出射光Ｉ３、Ｉ４となり、これらは図２において対応する光のように互いに平行とはならない。ただし、この傾斜が、光学部品の性能を甚だしく損なうことはなく、反射光が若干広い領域に拡張するのを招くに過ぎない。重要である部品透視特性、すなわち主面１４への法線を中心とする一定の角度範囲から殆どずれを生ずることなく観測者が受光できるようにする特性は、図１ないし図３の実施例におけるよりも本実施例における方が空隙が僅かだけ大きな視野を占めたままで保存される。
【００５０】
さて、図７を参照するに、この図は二つの光学的透明本体３１、３２からなる代替実施例を示すものであり、各本体は個々に主面３３、３４と複数の概略Ｖ字形の溝３５、３６により途絶された反対側の主面を備えるものであり、Ｖ字形の溝は、図７ａ、７ｂに図示したように、本体３１の場合は個々の側壁３７、３９、４１により、また本体３２の場合は個々の側壁３８、４０、４２によりそれぞれ画成されている。隣接する凹部３５、３６間には、それぞれ凹部隔壁４３、４４が存在する。傾斜側壁３７、３９は点４５で交わり、一方傾斜側壁３８、４０は点４６で交わる。側壁３９、４１は互いに僅かな角度だけ傾斜していて、傾斜側壁４１は点４７において傾斜側壁３７に交わり、またこれに対応して、側壁３８と４２は点４８において交わっている。図示のごとく、二つの本体３１、３２が、凹部と凹部隔壁を相互噛合させて突き合わせて対向配置したときに、本体３１の側壁３７が本体３２の側壁３８に当接し、凹部隔壁４３の先端４５が凹部３６内に進入し、点４８により画成された凹部の底面に達する。二つの本体３１、３２により画成された部品３０内の空隙は参照符号４９により示され、これらは不等辺四辺形形状をなしていて各端部において先細となっている。この先細形状は、所望箇所以外の切り子面に入射する光線ＩＡで示されるような特定角度を有する入射光の光量が最小化されことを保証するものである。光線ＩＡは、かくしてこのような動作を行う光線の限界を表すものである。入射角度のより小さな光線は、側壁４１により画成された界面において反射されるため、所期の動作を望むことはできない。空隙を先細としたことで、そうした光線の量が抑制され、それにより光学部品を通って望まぬ方向に光線を形成することはなくなる。図８は、同じ効果が得られる空隙の異なる形状を示すものである。
【００５１】
上記の全ての実施形態では、光学部品を直進してほぼ歪みのない形で部品の向こう側の対象景観を観察者にもたらす入射光部分が存在するものである。しかしながら、ある環境にあっては部品をそのまま透過した光線が、相当の角度でもって反射された光線とほぼ同じ方向から観察者の目に入ることも起こり得る。このことは、変則な或いは異常な像を引き起こすものであり、特に異常光がほぼ水平視界から部品を通過して導かれる光として光学部品で反射されて同じ方向に入る太陽の像である場合に目障りとなる。このことは、特に部品が建造物の昼光照明に用いた場合に、直接光学部品を見ていない場合でさえも観察者を妨げる不要な映り込みをもたらしかねない。このことは、部品の基礎面の少なくともある部分を少なくとも一部領域に亙って非透明とし、これにより一定角度範囲に亙って反射光の伝送を阻止するよう保証することにより、克服され或いは少なくとも緩和されよう。
【００５２】
基礎面は、多くの方法でもって非透明とすることができる。一つの実施例として、例えば、基礎面はこの目的のための表面処理を施される。基礎面の表面処理は、これが入射光に対して乱反射面として機能するようにすればよく、このことは例えば表面加工により半透明にする、つまり例えば表面を粗くするか、さもなくば表面の平坦度を落とすかして達成される。或いはまた、表面処理を表面全体を不透明にすることでも達成され、これまた同様に、被覆施工を含めた幾つかの異なる方法により達成される。表面処理が被処理平面の全体もしくは一部限定領域に影響を及ぼすものであって、基礎面自体は光学部品の全表面のうちの一部に過ぎないことは理解されて然るべきである。表面被覆を用いる場合、基礎面の領域上で可変密度をもたせてもよく、かくして透明な状態からの乖離度を変えることができる。さもなくば、被覆密度を、一つの基礎面から別の基礎面へと変化させ、これにより領域上での光学部品の光学特性を変化させる。
【００５３】
同様に、基礎面の特定領域の表面処理は、閃光現象を低減する目的で実施することもできる。こうした現象は、エッジ部分で二つの面が交わる光学部品の領域に生ずるか或いは「接種」されることが知られている。閃光を防止するため、こうした面の端部領域は物理的或いは化学的に加工を施し、例えば表面粗さを粗仕上げするかして表面の光学的平坦度を劣化させ、エッジの尖鋭度を同様に物理的或いは化学的に低減して二つの面の交線を凸凹にするとよい。
【００５４】
図９に戻ると、窓開口などの開口５１を有する建造物の壁５０（他には図示していない）が図示してあるが、この開口は参照符号５２をもって示した図１ないし図８のいずれにも記述されている光学部品を備えたパネルが配設されていて、十分な肉厚でかつ自耐するに足る十分な堅牢性を備えた材料でできた透明本体から形成されるか、或いはガラスや透明風防用アクリル樹脂のような支持用透明板上の平面的な主面の一つによって支持されるか、或いは二重窓ガラス構造のそうした窓ガラス間に挟まれた薄膜として形成される。光学部品５２は、開口５１とは同一平面にないが、開口に対して所定の角度をなしていて、その下側端部５３が、開口５１の下側端５４の外方でかつ上方にある。光学部品５２の下側端部５３と開口５１の下側端部５４との間の空間は、平面ガラスパネル５５で埋まっている。図１０に示す三角形の側面５６は、ガラス又は他の透明材料によって形成されるか、或いは非透明材料によって形成されている。この構成では、破線ＩＤ'で示す光線ＩＤにより表される光が、開口５１をそこに入射せずに通過し、ビームＩＲ'に示すように、反射によって偏向され、図９に示す如く（壁５０の右側の）建造物の室内に入射する。こうした構造は、明らかに、建造物の基本設計には組み込まれて然るべき筈のものである。しかしながら、同様の効果は、図１１に示したように、パネル５７を開口５１の手前に吊持することによっても達成でき、この場合、開口５１は通常の窓ガラスか他の透明ガラス５８をガラス張りすることを想定している。この場合、パネル５７は、ここでも上記のいずれの光学部品でもよく、その機能は同じであり、すなわち大角度でもって到来しそのままであれば窓開口５１を通り過ぎて戻らない光を建造物内に偏向させる働きをする。しかしながら、この実施例では、パネル５７をその上端部５９において枢支したことで、パネルの傾きを制御することができ、これにより集光効果を、パネルを最大範囲まで傾斜させた状態の最大値から、パネルをほぼガラス板５８に平行に横たえた状態の最小値まで変化させることができる。
【００５５】
図９、１０、１１の実施例は、建造物内部へ配光される最大量の光を集光するのに望ましい状態を目的としたものである。勿論、光が明る過ぎたり、特定の角度からの光が不要となる環境もある。図１２は、光学パネル６０でもってガラス張りされた壁５０内の窓開口５１を図示するものであり、パネル６０はここでも上記の光学部品のいずれでもよい。従って、特定の入射角度では、光（典型的には、図１２の光線Ｉにより表される光）は反射され、光学部品６０内を通る光がビームＩＲで示したように、上方へ向けて傾斜する。しかしながら、方向Ｉからの光の一部は反射されず、これの抑制を望む場合は、従来型のベネチア式ブラインド６１を用いることにより抑制を達成できる。
【００５６】
ベネチア式ブラインド６１を用いることの不利益は、不要光が建造物内部への進入を許されないことと、このことが室内の照明レベルを低減することにある。しかしながら、そのことは、傾斜が理由でその光が不要であったり、特別な位置に腰掛けるか立っているかして概ね窓の方向を向いて居る人物の目に直接に進入する不都合な角度でもって光が降り注がれるという理由によるものである。そうした光は、普通は、映り込みが問題となりそうな低い位置の太陽から直接到来する光であろう。しかしながら、建造物内部の全体的な照明は、ベネチア式ブラインド６１を使用することで太陽光の低減を保証できるほど大きなものではなく、従ってそうした環境下では図１３の実施例が有効である。この実施例では、壁５０の開口５１は図１１の実施例にあるような平面ガラスを張ったパネル５８を具備しているが、この場合は開口５１の内部に亙って、それぞれ先のどの実施例にも記載したような光学部品で出来た水平小割板６２の形をした光学部品組立体が配置してある。そうした構成では、通常はベネチア式ブラインドにより達成される個々の水平軸周りの小割板６２の傾斜を変えることにより、建造物内に透過する光の方向が何をも抑制することなく可変され、これにより映り込みの問題が光の抑制ではなく偏向により対処できるようになる。この実施例はまた、視界を曇らせるベネチア式ブラインドとは異なり、直視視界の達成を可能にするものである。このことは、図１３に入射光ＩＤをもって図示されており、そのことは図１２の実施例では、出射光ＩＲを生ずるが、ここでは水平レベルでの入射光ＩＬが直進透過し、観察者に対し建造物の外部が見えるようにしている。
【００５７】
入射光を変える能力と同様に一定量の光の抑制が要求され、かつ窓を介する視界の維持が要求される場合は、図４に図示した実施例を用いるとよい。これは、図１３に示した実施例のように、「ベネチア式ブラインド」用に壁５０の窓５８の内側に小割板６３の列を設けるものである。しかしながら、ここでは、小割板６３の光学部品は各小割板の平面への法線に対して狭い範囲の入射光をビームＩＢで表されるように後方反射し、直進ビームＩＬは変化させず、下方へ傾斜したビームＩＤを透過ビームＩＴとするよう形成してある。光学部品６３のより詳細な説明は、以下に図１７ないし図２０を参照して与えられる。
【００５８】
図１５に戻るに、ある特定の条件下、特に空に太陽が明るく輝くときは、建造物の室内の窓に近い天井に到来する上方へ偏向された光が明るすぎることがある。図１５に図示した実施例では、この場合は平面鏡６０が、図１２の実施例におけるような光学部品６１を張った窓開口５１の上に位置していている。図１５の光線軌跡から分かるように、大角度で入来した光は室内に上向きに反射され、反射体６１への入射点において天井と概ね平行な方向へと偏向されて、室内へと向かう。他の実施例（図示せず）では、反射体の場所に透過形（屈折形）の偏向体が備わっていて、反射体６１は平面鏡である必要はなく、球状や筒状或いは他の湾曲形状であってもよい。
【００５９】
図１６では、窓開口５１をガラス張りにする光学部品６０に、窓開口５１の外側で上側のブラケット６３に担持された人工光光源６２を備えたシステムを示している。光源６２からの光を光学部品６０上に合焦させることにより、光エネルギの全部を室内に配給する保証ができる。光部品の光分配特性のおかげで、たとえ光源６２が人工光源であったとしても、昼光に似せるやり方で必要とされる箇所に人工照明が適用できるようになる。光源が正規の色温度特性を有する場合は、室内に居る人は昼光を増強するのに人工光が用いられていることに気付かないであろう。この構成は、高輝度放電ランプやマイクロ波駆動硫黄ランプのような高出力光源により発生した熱が、空調のかかった建造物の室内に伝わらないといった利点を有する。このことは、相当の経済的な恩恵をもたらすが、それは空調領域外での光発生に含まれる熱の放散は不要コストを回避するからである。
【００６０】
図１７ないし図１９は、本発明の光学部品の代替実施例で、エレメントの平面の法線近くへ到来する光線の反射屈折型の反射を引き起こすよう特別に設計されたものである。適切な透明本体７０の輪郭が、図１７に図示してある。これは、先の図形の実施例と同じく、平坦で途絶のない平面形状の主面７１と、破線７２で示した反対側の主面とを備えた実質的な平面パネルを具備しており、反対側の主面は二つの平坦な傾斜面７４、７５によりそれぞれ画成された複数の平行溝７３によって途絶しており、これらの傾斜面はそれらの峰部７６における一点（断面内）と溝７３の底部すなわち谷部における対応点７７において交わっている。隣接する溝７３は、凹部隔壁を画成しているリブ７８により分離されている。
【００６１】
光学部品は、図１８に示すように、面７２どうしを対向関係に置いて凹部７３と凹部隔壁７８とを相互噛合させた状態で二つの本体７０を配置することにより形成されている。しかしながら、この実施例では、先の実施例のように当接面が近接嵌合して界面を形成することはないが、互いが間隔を置いて保持されており、これにより部品全体を通じて波状の空隙が存在する。両傾斜面７４、７５は、かくして主面７１から本体７０を介して到来する光の反射界面として機能し、これらの界面が互いにほぼ９０度傾斜しているため、入射面７１の面に対する法線に近い入射光は突き当たった第１の界面、例えば凹部７３の傾斜界面７４により画成された界面において９０度反射され、さらに界面７５に入射したときに再び９０度反射され、これにより入射光は１８０度反射され、光学部品８０から出戻る。この状態は、図１９に示したような、５度から７度の範囲に亙る事実上垂直な微小角度での入射光に相応しいものである。従って、この光学部品は、図１４に図示した列内で使用するのに理想的なものであり、その場合、小割板６３を適当に配向することで、太陽球からの光を後方反射して映り込みを回避することができる。
【００６２】
図２０ａ、２０ｂ、２０ｃ、２０ｄは、図１７ないし図１９の実施例に、法線に対して次第に大きくなる角度、すなわち１５度、４５度、６０度、７５度で入射した光の挙動を図示するものである。エレメントを透過する光の殆どが偏向せずにいること、ただしどの場合も第１界面における反射により微量の損失があるが、第２の界面では発生しないことが分かる。図１７ないし図２０に関連して記述したような構成を有する小割板の列として形成されたブラインドは、個別或いは一括して包含できる様々な任意選択肢を有する。例えば、小割板の湾曲及び／又は小割板内のエレメント間構造変化により、小割板の反射モード操作と透過モード操作の間の段階的な移行が達成される。さらに、材料内の溝は縦横に走り、室内から外を見たときに水平或いは垂直のどちらかのブラックアウトバーを生み出す。好ましくは、通常の調整を行う小割板の主軸は、溝方向と平行に走っている。溝の方向と小割板の配向（すなわち、水平ブラインドか垂直ブラインドか）と調整軸の選択は、室内の太陽光遮光維持のためにブラインドを何回くらい調整する必要があるのか、そしてこれを自動的に行うのに必要な駆動手段の種別とに密接な関係をもち得る。
【００６３】
材料の屈折率が、ブラックアウトバーの幅を決定し、かくしてブラインドの必要調整回数を決定付けることが理解されよう。大きな屈折率ほど大きなバーとなる。太陽光遮光の代わりに、ブラインドは方向性をもったプライバシー保護機能をもたらす。例えば、図１８の調整位置は、窓を介する道路越しの同じ高さどうしの覗き見を阻止しよう。
【００６４】
図２１は、図７、８と同様の発明の実施例を図示するものである。しかしながら、図２１の実施例では、隣接する非接触基礎面間の空隙には、不透明な接着剤が充填してある。さらに詳しくは、図２１はそれぞれほぼ平坦な途絶なき主面９２、９３と、傾斜基礎面９５、９６（本体９０の場合）と９４、９７（本体９１の場合）により画成された複数の凹部により途絶された反対側の主面とを有する二つの光学的透明本体９０、９１を備えるものである。図２１ａは、基礎面がより簡単に特定できるよう部品を分離した状態の図２１の実施例の一部を示す拡大図である。
【００６５】
二つの本体９０、９１を合体させると、途絶面は不透明な接着剤により被覆され、二つの本体９０、９１はかなりの圧力の下にともに押さえ付けられ、傾斜面９４、９５は互いに近接当接し、それらの間のすべての接着剤は対向する斜交基礎面９６、９７間に画成された空隙内に搾り出され、図２１に図示したようにシャッタ様の列内に不透明エレメント９８を形成する。図２１の実施例における不透明エレメント９８は、途絶なき主面９２、９３に対しほぼ斜交しているが、他の実施例では、凹部を形成するときに基礎面９６、９７の角度を適当に選択することで、これらの主面に対して異なる角度に傾斜させることもできる。
【００６６】
使用時には、図２１の実施例は主面９０、９３の法線近くから特定の閾値角度まで傾斜した光が、光線Ｂ２に示すようにほぼ偏向せずに透過できるようにしている。しかしながら、光線Ｂ１で示される入射角度のより大きな入射光は、不透明エレメント９８に到達したときに吸収される。図２１を考慮するならば、明確にさせる目的で寸法が誇張されており、基礎面９４、９５、９６、９７により画成された凹部の深さと幅の比が、図２１においてだけ図示目的で用いた寸法から明らかな値よりも部品を透過する光の入射角度上の制約が大きめであることが理解されよう。
【００６７】
図２１のような実施例は、プライバシーや或いは反射には無縁であることが要求される箇所で光源や計器を覆うのに用いられる光学部品に使用されよう。計器カバーの場合、この実施例では細長いストリップで出来た溝の垂直方向或いはほぼ垂直な方向への向きのおかげで、計器の真正面に居る観察者は、両側の観察者が透過光を受け取れないために計器を読むことができないにも拘わらず、障害なく見ることができるようになる。さらに、主面９３に対向して部品側に位置する観察者は、狭い角度の入射光以外に対する不透明エレメント９８の吸収効果のおかげで、明るい物体からの両側への不要反射（この反射は、背面側の主面９２における全反射により生ずる）に災いされることはない。
【００６８】
全反射効果による面９２における反射だけが、入射角度が臨界閾値角度を越えるときに発生する。このため、不透明エレメント９８の寸法と間隔は、臨界角を越える光が透過しないようにして選択できるようになっている。勿論、面９３からの正面反射の少量の反射が依然として発生するが、このことは適当な被覆処理によって最小化でき、背面反射に比べてずって重要度のずっと低い二義的な効果となる。溝を水平方向に配向することにより、計器や光源を覆うフードの必要性を無くすことができ、またそうした実施例は、例えば計器パネル設計上により大きな自由度をもたらすのに用いられ、計器パネル使用時には不要反射及び／又は映り込みとは無縁でいることを保証する目的で、現在必要とされているのと同じ範囲まで後退させたり、沈み込ませたり、或いはフード掛けしたりする必要はなくなる。
【００６９】
図２２、２３はブラインド小割板を示すものであり、図１９の後方反射ブラインド小割板の形状に特別な形状の構造を組み合わせ、同時に必要とはされないが太陽光遮光と改善された昼光照明とを組み合わせたブラインド小割板を形成してある。これらの形状では、小割板を形成する本体の形状は、図１７ないし図２０のそれと同様であるが、溝と溝分離部とを画成するＶ形の波状部の代わりに、本体の対向面は二つの側面１０１、１０２を有する溝１００を有しており、底面壁は二つの壁面１０３、１０４により画成された凹角形状を有する。凹部隔壁１０５の峰部は、同様に二つの傾斜面１０６、１０７により画成されている。
【００７０】
通常、窓に日が指していない場合は、部屋に居る人は昼光照明機能により恩恵を受けるが（図２２）、一方で窓に日が差している場合は遮光機能が好まれ、これは例えば図２３に示したように、単純に小割板を傾斜させることで達成できる。
【００７１】
この実施例では、小割板を介する視界は説明でき、当然のことながら、こうしたシステムにとって小割板を介する視界は損なわれるが、無論、そうしたシステムでも、望むならば、小割板を端部を重ねた形状にして視界に対して最小の妨害しかもたらさないよう調整することで、視界を得ることができる。
【図面の簡単な説明】
【００７２】
【図１】本発明の光学部品を形成するのに適した透明な本体の拡大断面図である。
【図２】図１の本体を利用して形成された光学部品の一部を拡大した断面図である。
【図３】図２の詳細を示す大幅な拡大断面図である。
【図４】本発明の第２実施例を構成する光学部品を形成するのに適した本体の一部の断面図である。
【図５】図４の本体を利用して形成した光学部品の断面図である。
【図６】図５の詳細を大幅に拡大した図面である。
【図７】本発明の第３実施例を構成する光学部品の一部の拡大断面図である。
【図７ａ】本発明の第３実施例を構成する光学部品の一部の拡大断面図である。
【図７ｂ】本発明の第３実施例を構成する光学部品の一部の拡大断面図である。
【図８】本発明の第４実施例を形成する部品の拡大断面図である。
【図９】本発明の光学部品を利用して形成した光学組立体の概略断面図である。
【図１０】図９の実施例を図示する斜視図である。
【図１１】本発明の光学部品を利用して形成したもう一つの組立体の概略断面図である。
【図１２】在来型のベネチア式ブラインドを追加した本発明の光学部品を用いて形成した光学組立体の概略断面図である。
【図１３】従前の窓ガラスと本発明の光学部品を利用して形成した第２の組立体を有する窓開口の概略断面図である。
【図１４】組立体内の代替光学部品を示す図１３と同様の図である。
【図１５】本発明の光学部品を利用したさらなる光学組立体を図示する概略断面図である。
【図１６】人工光光源とともに本発明の光学部品の使用を図示する概略断面図である。
【図１７】本発明のさらなる実施例を構成する光学部品の形成に使用するのに適した光学的透明本体の断面図である。
【図１８】図１７の透明本体を用いた組立部品の概略図である。
【図１９】特定の制限方向内での図１８の光学部品への入射光の光路を図示する概略構成図である。
【図２０ａ】図１９とは異なる角度範囲からの入射光の挙動を図示する同様の概略図である。
【図２０ｂ】図１９とは異なる角度範囲からの入射光の挙動を図示する同様の概略図である。
【図２０ｃ】図１９とは異なる角度範囲からの入射光の挙動を図示する同様の概略図である。
【図２０ｄ】図１９とは異なる角度範囲からの入射光の挙動を図示する同様の概略図である。
【図２１】本発明のさらなる代替実施例の拡大された一部断面図である。
【図２１ａ】本発明のさらなる代替実施例の拡大された一部断面図である。
【図２２】第１の使用形態を図示した本発明のさらなる代替実施例の概略断面図である。
【図２３】第２の使用形態を図示した図２２の実施例の概略断面図である。
【図１】
2011060714.tif 000003
【図２】
2011060714.tif 000004
【図３】
2011060714.tif 000005
【図４】
2011060714.tif 000006
【図５】
2011060714.tif 000007
【図６】
2011060714.tif 000008
【図７】
2011060714.tif 000009
【図７ａ】
2011060714.tif 000010
【図７ｂ】
2011060714.tif 000011
【図８】
2011060714.tif 000012
【図９】
2011060714.tif 000013
【図１０】
2011060714.tif 000014
【図１１】
2011060714.tif 000015
【図１２】
2011060714.tif 000016
【図１３】
2011060714.tif 000017
【図１４】
2011060714.tif 000018
【図１５】
2011060714.tif 000019
【図１６】
2011060714.tif 000020
【図１７】
2011060714.tif 000021
【図１８】
2011060714.tif 000022
【図１９】
2011060714.tif 000023
【図２０ａ】
2011060714.tif 000024
【図２０ｂ】
2011060714.tif 000025
【図２０ｃ】
2011060714.tif 000026
【図２０ｄ】
2011060714.tif 000027
【図２１】
2011060714.tif 000028
【図２１ａ】
2011060714.tif 000029
【図２２】
2011060714.tif 000030
【図２３】
2011060714.tif 000031